(57)【要約】【課題】良好に床面空間を仕切る仕切りを形成させることのできる床材セットを提供する。【解決手段】平面視正方形の床材１１，１２，１３，１４のセットであって、第１床材１１には、１辺の略中央を頂点とする山２が形成され、第２床材１２には、対向する２辺の略中央間を結ぶ尾根３が形成され、第３床材１３には、隣り合う２辺の略中央間を結ぶ尾根４が形成されている。【選択図】図５
2007315048.tif 000002
【特許請求の範囲】
【請求項１】
外周が４辺からなる平面視方形の床材のセットであって、
第１床材には、１辺の略中央を頂点とする山が形成され、
第２床材には、対向する２辺の略中央間を結ぶ尾根が形成され、
第３床材には、隣り合う２辺の略中央間を結ぶ尾根が形成されていることを特徴とする床材セット。
【請求項２】
外周が４辺からなる平面視方形の床材のセットであって、
第１床材には、２辺が交わる１つの隅角を頂点とし、該頂点より低い位置に水平面を有する山が形成され、
第２床材には、１つの辺を稜線とし、該稜線より低い位置に水平面を有する尾根が形成され、
第３床材は、前記第１床材および第２床材の水平面と同じ高さを有する直方体に形成されていることを特徴とする床材セット。
【請求項３】
請求項２において、第１，第２，第３の各床材の水平面によって形成される平地に被せる天板を備えていることを特徴とする床材セット。
【発明の詳細な説明】
【技術分野】
【０００１】
本発明は、床面に自由に仕切りを作ることができる床材セットに関するものである。
【背景技術】
【０００２】
従来、特許文献１に開示されているようなコーナー用タイルブロックが存在し、このコーナー用タイルブロックは、３つの背面部が互いに直交して一体に形成され、３つの背面部はそれぞれ平坦な面に形成され、前面部は球状凹面に形成されたものである。
【特許文献１】実用新案登録第３０７１３８５号公報
【発明の開示】
【発明が解決しようとする課題】
【０００３】
上記特許文献１に開示されているようなコーナー用タイルブロックでは、床面に自由に仕切りを作ることができず、用途が限られたものであった。
【課題を解決するための手段】
【０００４】
本発明は上記従来の問題点に鑑み案出したものであって、組み合わせて敷設することにより、床面に自由に仕切りを作ることのできる床材セットを提供することを目的とし、その請求項１は、外周が４辺からなる平面視方形の床材のセットであって、第１床材には、１辺の略中央を頂点とする山が形成され、第２床材には、対向する２辺の略中央間を結ぶ尾根が形成され、第３床材には、隣り合う２辺の略中央間を結ぶ尾根が形成されていることである。
【０００５】
また請求項２は、外周が４辺からなる平面視方形の床材のセットであって、第１床材には、２辺が交わる１つの隅角を頂点とし、該頂点より低い位置に水平面を有する山が形成され、第２床材には、１つの辺を稜線とし、該稜線より低い位置に水平面を有する尾根が形成され、第３床材は、前記第１床材および第２床材の水平面と同じ高さを有する直方体に形成されていることである。
【０００６】
また請求項３は、請求項２において、第１，第２，第３の各床材の水平面によって形成される平地に被せる天板を備えていることである。
【発明の効果】
【０００７】
本発明の床材セットは、外周が４辺からなる平面視方形の床材のセットであって、第１床材には、１辺の略中央を頂点とする山が形成され、第２床材には、対向する２辺の略中央間を結ぶ尾根が形成され、第３床材には、隣り合う２辺の略中央間を結ぶ尾根が形成されていることにより、第１床材と第２床材と第３床材を適宜組み合わせて床面に敷設することにより、床面から隆起する山脈状の仕切りが形成され、緩やかな傾斜状の仕切りとなり、比較的つまずき難いものとなる。
【０００８】
また、外周が４辺からなる平面視方形の床材のセットであって、第１床材には、２辺が交わる１つの隅角を頂点とし、該頂点より低い位置に水平面を有する山が形成され、第２床材には、１つの辺を稜線とし、該稜線より低い位置に水平面を有する尾根が形成され、第３床材は、前記第１床材および第２床材の水平面と同じ高さを有する直方体に形成されていることにより、第１床材と第２床材と第３床材を組み合わせて敷設することにより、山脈状の隆起した仕切りが形成され、仕切りは階段状ではなく傾斜状であるため比較的つまずき難いものとなる。しかも床面より高い位置に水平面の平地が形成されることとなり、この平地は座ったりして良好に使用することができる。
【０００９】
また、第１，第２，第３の各床材の水平面によって形成される平地に被せる天板を備えていることにより、平地上に天板を面一状となるように被せて、天板上に腰を下ろしたり、また枕として頭を載せて良好に使用することができるものとなる。
【実施例】
【００１０】
以下、本発明の実施例を図面に基づいて説明する。
図１〜図４は、第１実施例の床材セットであり、図１の第１床材１１と、図２の第２床材１２と、図３の第３床材１３と、図４の第４床材１４で床材セットが構成されており、これらの床材１１，１２，１３，１４を組み合わせて敷設し、床面に山脈状の仕切りを形成させることができるものである。
【００１１】
なお、各床材１１，１２，１３，１４は、外周が第１辺１ａ，第２辺１ｂ，第３辺１ｃ，第４辺１ｄからなる１辺が５００ｍｍの平面視正方形状に形成されたものであり、第１床材１１には、第１辺１ａの略中央が隆起した頂点２ａをなす山２が形成されている。
また、第２床材１２には、対向する第１辺１ａと第２辺１ｂのそれぞれの略中央部間を結ぶ隆起した稜線３ａをなす尾根３が形成されている。
また、第３床材１３には、隣り合う第２辺１ｂと第４辺１ｄの略中央部間を結ぶ隆起した稜線４ａ，４ｂをなす尾根４が形成され、この尾根４の稜線４ａ，４ｂは、湾曲状に連続されたものである。
また、第４床材１４は、平板状に形成されたものである。
【００１２】
このような床材１１，１２，１３，１４を組み合わせて床面に敷設することにより、例えば図５に示すような床面を形成させることができるものである。
図５では、左端側に第１床材１１が敷設され、第１床材１１に対し右側に向かって２個の第２床材１２，１２が敷設され、更にその先端には第３床材１３が組み合わされており、第３床材１３の右側には、更に第２床材１２と第１床材１１が組み合わされて、隆起した山脈を形成している。
【００１３】
この第１床材１１，第２床材１２，第３床材１３の組み合わせにより、上方へ隆起した仕切りが床面に形成されることとなり、床材１１，１２，１３の山２および尾根３，４で意匠性に優れた仕切りを形成して、空間を良好に仕切ることができるものとなり、この仕切りは階段状ではなく傾斜状であるため、比較的つまずき難いものである。
なお、山２および尾根３，４の高さは７５ｍｍ以下とすることで、緩やかな床の仕切りとなり、つまずき難いものとなる。
【００１４】
なお、図５の組み合わせは一例であって、第１床材１１と第３床材１３間に更に連続して複数の第２床材１２，１２を組み合わせて、相当長い連続した尾根を形成させることもできる。
【００１５】
次に、図６〜図９では、床材セットの第２実施例を示す。
第２実施例の床材セットは、第１床材２１と、第２床材２２と、第３床材２３と、円板状の丸天板２４と、楕円形状の楕円天板２５で構成されている。
なお、第１床材２１，第２床材２２，第３床材２３は、１辺が５００ｍｍの平面視正方形状に形成されている。
【００１６】
第１床材２１は、外周を形成する第１辺１ａと第３辺１ｃが交わる１つの隅角部に隆起した頂点を成す山５が形成されており、この山５の隅角側は水平に切り取られた水平面６に形成されている。
第２床材２２は、第１辺１ａに沿って隆起した稜線７ａを有する尾根７が形成されており、尾根７の第１辺１ａ側には、尾根７の稜線７ａよりも低い位置に略水平にカットした水平面８が形成されている。この水平面８の高さ位置は、前記第１床材２１の水平面６の高さ位置と同一に設定されている。
なお、第３床材２３は、立方体形状に形成されており、その上面２３ａの高さ位置は前記第１床材２１および第２床材２２の水平面６，８の高さ位置と同一に設定されている。
【００１７】
このような形状の第１床材２１と第２床材２２を組み合わせて敷設し、例えば図１０に示すような隆起した仕切りを床面に形成させることができるものである。
図１０では、図示左端側に第１床材２１を２個組み合わせ、図示右側に向かって一対の第２床材２２，２２を組み合わせたものを連続させて敷設し、右端側で更に一対の第１床材２１を組み合わせて敷設したものであり、このような組み合わせでは、第１床材２１の水平面６と第２床材２２の水平面８が連続して、床面より高い位置に水平面６，８による平地が形成されることとなり、この平地上に楕円天板２５を被せて、楕円天板２５の上面と山５および尾根７の頂上とを面一状にしておくことができ、例えば、この楕円天板２５上に腰を掛けることができるものとなり、また、床面で寝そべった体勢で楕円天板２５上に頭を載せ、リラックスした状態で昼寝等をすることもできるものである。
【００１８】
このように、第１床材２１と第２床材２２を組み合わせて良好に床面に隆起した仕切りを形成させることができ、山５および尾根７の高さを７５ｍｍ以下としておけば、階段状ではなく傾斜状であるため、つまずくことが少なく、意匠性に優れた仕切りとなる。
なお、図１０の場合において、一対の第２床材２２，２２間に、更に第３床材２３を組み合わせることで、水平面６，８と更に第３床材２３の上面２３ａで面積の大なる平地を床面より高い位置に形成させることができるものである。
【００１９】
なお、図１１に示すように、第１床材２１を４個組み合わせて、火山状の隆起を床面に形成させることができ、この４個の第１床材２１のそれぞれの水平面６，６により、円形状の平地が床面より高い位置に形成され、この平地上に丸天板２４を面一状となるように被せて、この丸天板２４上に腰を下ろしたり、また、枕として頭を載せて良好に使用することができるものとなる。
【図面の簡単な説明】
【００２０】
【図１】第１実施例の第１床材の斜視構成図である。
【図２】第１実施例の第２床材の斜視構成図である。
【図３】第１実施例の第３床材の斜視構成図である。
【図４】第１実施例の第４床材の斜視構成図である。
【図５】図１，図２，図３，図４の床材を組み合わせた敷設状態の一例を示す斜視構成図である。
【図６】第２実施例の第１床材の斜視構成図である。
【図７】第２実施例の第２床材の斜視構成図である。
【図８】第２実施例の第３床材の斜視構成図である。
【図９】第２実施例の天板の斜視図である。
【図１０】図６の床材と図７の床材を組み合わせて敷設した状態の組み合わせの一例を示す斜視構成図である。
【図１１】図６の床材を４個組み合わせた場合の組み合わせ状態の斜視構成図である。
【符号の説明】
【００２１】
１ａ  第１辺
１ｂ  第２辺
１ｃ  第３辺
１ｄ  第４辺
２  山
２ａ  頂点
３  尾根
３ａ  稜線
４  尾根
４ａ，４ｂ  稜線
５  山
６  水平面
７  尾根
７ａ  稜線
８  水平面
１１  第１床材
１２  第２床材
１３  第３床材
１４  第４床材
２１  第１床材
２２  第２床材
２３  第３床材
２４  丸天板
２５  楕円天板
【図１】
2007315048.tif 000003
【図２】
2007315048.tif 000004
【図３】
2007315048.tif 000005
【図４】
2007315048.tif 000006
【図５】
2007315048.tif 000007
【図６】
2007315048.tif 000008
【図７】
2007315048.tif 000009
【図８】
2007315048.tif 000010
【図９】
2007315048.tif 000011
【図１０】
2007315048.tif 000012
【図１１】
2007315048.tif 000013